(57)【要約】      （修正有）【課題】損壊及び落下防止、防塵、盗難防止などの効果を達成する雑誌および書籍用光ディスク収納ポケットを提供する。【解決手段】収納ポケットは、底層３１、第一表層３２、第二表層３３を備え、底層３１は、軟性材質から構成される。面積は光ディスク２０より大きくて、第一表層３２は、条状を呈し、外端が底層３１の前側に固定されて形成された密封部３２１と、内端と底層から形成された分離部とを有するため、深さがある係止溝が形成される。第二表層３３は、底層３１の形に対応し、左右側および底側が底層３１の周縁に固着され、かつその間に光ディスク２０の収納に用いられるＵ型収納室３３１を有する。【選択図】図５
0003148382.tif 000002
【実用新案登録請求の範囲】
【請求項１】
雑誌および書籍用光ディスク収納ポケットであって、
軟材質から構成され、面積は光ディスクより大きい底層と、
線状を呈し、かつ外端が前記底層の前側に固定されて形成された密封部と、内端と前記底層から形成された分離部とを有する第一表層と、
前記底層の形に対応し、左右側および底側が前記底層の周縁に固着され、かつその間にＵ型収納室を有し、かつ前側の開口端が少なくとも前記第一表層の一部分の表面に重なり、前記開口端の内縁面に接着層および剥離紙を有し、前記開口端の外縁面上の前記第一表層の内端に近い位置に切り離し線を有する第二表層とを備え、
前記第一、前記第二表層の間に光ディスクの収納に用いる入口が形成され、かつ光ディスクを収納室に収納し、そののち前記剥離紙を外せば、前記入口が密封状態になることを特徴とする光ディスク収納ポケット。
【請求項２】
前記切り離し線を切り離せば、細長い形の欠け口が形成されるため、光ディスクを取り出すことが可能であることを特徴とする請求項１に記載の光ディスク収納ポケット。
【請求項３】
前記第一表層の前記分離部は、光ディスクの落下を防止可能な係止溝を形成することを特徴とする請求項２に記載の光ディスク収納ポケット。
【請求項４】
前記底層は、不織布、繊維布および紙材質のうちの任意の一つから構成されることを特徴とする請求項１に記載の光ディスク収納ポケット。
【請求項５】
前記第一表層および前記第二表層は、プラスチック膜から構成されることを特徴とする請求項１に記載の光ディスク収納ポケット。
【考案の詳細な説明】
【技術分野】
【０００１】
本考案は、光ディスク収納ポケットに関し、詳しくは、書籍の任意のページ内またはトップページまたはエンドページに挟まれ、かつ防塵、盗難防犯、落下防止および美観などの多重の効果を有する雑誌および書籍用光ディスク収納ポケットに関するものである。
【背景技術】
【０００２】
現今、多くの書籍または雑誌はトップページ、エンドページまたは任意のページ内に光ディスクを付け加えられている。これらの光ディスクは補充資料または娯楽用、学習用光ディスク、または記載内容にかかわる範例または画像ファイルを記録している光ディスク、または映像または音楽などのファイルを記録している光ディスクなどである。特にコンピュータに関わる書籍または音声書籍のような書籍のほとんどは、書籍の付加価値を高めるため、付属品として光ディスクを添付される。
【０００３】
一般的に販売されている書籍・雑誌２１内の光ディスク収納ポケット１０は、図１から図４に示すように、光ディスク２０を収納するため、一般の紙、テープ付ｏｐｐ袋または不織布材質から構成される。大部分の光ディスク収納ポケットは両面テープまたは長さが適切なテープ１５によって書籍・雑誌２１の所定の箇所に固定される。しかしながら、このような添付方法は安定性が足りたいため、光ディスク２０は、運送中脱落しやすいし、配置陣列の際または閲読の際に損壊または落下（図４に示す）しやすい。
【０００４】
そのほかに、光ディスク２０を取り出した後、戻しにくいし、防塵効果があまりよくない。また、光ディスク２０の損壊を防止できないという現象がある。特に接着効果が完全でないため、悪意を持った人に窃取されてしまうということを招きやすい。従って、本来書籍に添加した付加価値に無駄な損失を与えてしまうことが起こりやすい。
【考案の開示】
【考案が解決しようとする課題】
【０００５】
本考案者は、上述の欠点を改善するため、研究に力を尽くした結果、防塵、盗難防止、落下防止および美観などの効果を有する光ディスク収納ポケットを完成させた。
【０００６】
本考案の主な目的は、書籍内に装丁され、Ｕ型収納室によって光ディスクを収納し、収容ポケットの特殊な構造によって損壊及び落下防止、防塵、盗難防止などの効果を達成する雑誌および書籍用光ディスク収納ポケットを提供することである。
【０００７】
本考案のもう一つの目的は、産業上利用できる経済効果を有する雑誌および書籍用光ディスク収納ポケットを提供することである。
本考案のもう一つの目的は、美観効果および保存に便利な効果を有する雑誌および書籍用光ディスク収納ポケットを提供することである。
【課題を解決するための手段】
【０００８】
上述の目的を達成するために、本考案の技術による雑誌および書籍用光ディスク収納ポケットは、底層、第一表層、第二表層を備える。
底層は、軟材質から構成され、面積は光ディスクより大きい。
第一表層は、線状を呈し、外端が底層の前側に固定されて形成された密封部と、内端と底層から形成された分離部とを有する。
第二表層は、底層の形に対応し、左右側および底側が底層の周縁に固定され、かつその間にＵ型収納室を有する。第二表層は前側の開口端が少なくとも第一表層の一部分の表面に重なり、開口端の内縁面に接着層および剥離紙を有し、開口端の外縁面上の第一表層の内端に近い位置に切り離し線を有する。
【０００９】
これにより、第一、第二表層の間に光ディスクの収納に用いる入口が形成され、かつ光ディスクを収納室に収納し、そののち剥離紙を外せば、入口が密封状態になる。
【考案を実施するための最良の形態】
【００１０】
本考案の一実施形態による収納ポケットは、図５に示すように、底層３１、第一表層３２、第二表層３３を備える。底層３１は、軟性材質から構成され、面積は光ディスク２０より大きい。底層３１は不織布、繊維布および紙材質のうちの任意の一つから構成される。
【００１１】
第一表層３２は、条状を呈し、外端が底層３１の前側に固定されて形成された密封部３２１と、内端と底層から形成された分離部３２２とを有するため、深さがある係止溝３９が形成される。第二表層３３は、底層３１の形に対応し、左右側および底側が底層３１の周縁に固着され、かつその間に光ディスク２０の収納に用いられるＵ型収納室３３１を有する。第二表層３３は前側の開口端３３２が少なくとも第一表層３２の一部分の表面に重なり、開口端３３２の内縁面に接着層３４および剥離紙３５を有し、開口端３３２の外縁面上の第一表層３２の内端に近い位置に切り離し線３６を有する。切り離し線３６を切り離せば、細長い形の欠け口３８が形成されるため、光ディスク２０を取り出すことが可能である。かつ第一表層３２および第二表層３３は、プラスチック膜から構成されるものが好ましい。
【００１２】
本考案の一実施形態による収納ポケットに光ディスク２０を収納する動作を示す模式図および断面図は図６及び図７によって示す。第一表層３２および第二表層３３との間は光ディスク２０の収納に用いられる入口３７を有する。図８と図９に示されたのは、本考案による収納ポケットを密封する動作を示す模式図および断面図である。光ディスク２０をＵ型収納室３３１に収納し、そののち剥離紙３５を外せば、入口３７が密封状態になる。このとき光ディスク２０を収納した収納ポケット３０を書籍または雑誌の所定の箇所に装丁することが可能である。
【００１３】
本考案の一実施形態による収納ポケットを開封する動作を示す模式図を図１０に示す。光ディスク２０を取り出す際、第一表層３２の内端に位置する切り離し線３６を切り離せば、光ディスク２０を取り出すことが可能である。
本考案の一実施形態による収納ポケットを逆さまにしても落下が起こりにくいことを示す模式図を図１１に示す。収納ポケット３０が逆さまにされる場合、第一表層３２の分離部３２２によって形成された係止溝３９は適切な深さがあるため、収納された光ディスク２０を落下させにくい効果を果たすことが可能である。
【００１４】
本考案は上述した技術によって従来の欠点を確実に改善し、光ディスク収納ポケットに防塵、落下および損壊防止および盗難防止などの多重の効果を与えることが可能である。
上述したとおり、本考案により開示される構造は、これまでなかっただけでなく、効果を確実に増進可能であり、産業上の利用性を有するため、実用新案登録請求の要件が備わっている。
【００１５】
上述した図面、説明は、本考案の実施形態を説明するための一例に過ぎないため、この技術を熟知している人が本考案の範疇に基づいて効果が同等な変更または修正を行うことは本考案の請求範囲に属するべきである
【図面の簡単な説明】
【００１６】
【図１】従来の収納ポケットの構造を示す模式図である。
【図２】従来の収納ポケットの実施形態を示す模式図である。
【図３】従来の収納ポケットを開封する動作を示す模式図である。
【図４】従来の収納ポケットに収納された光ディスクが落下する状態を示す模式図である。
【図５】本考案の一実施形態による収納ポケットの構造を示す模式図である。
【図６】本考案の一実施形態による収納ポケットに光ディスクを収納する動作を示す模式図である。
【図７】図６中の断面の構造を示す断面図である。
【図８】本考案の一実施形態による収納ポケットを密封する動作を示す模式図である。
【図９】図８中の断面の構造を示す断面図である。
【図１０】本考案の一実施形態による収納ポケットを開封する動作を示す模式図である。
【図１１】本考案の一実施形態による収納ポケットが逆さまにされても落下が起こりにくいことを示す模式図である。
【符号の説明】
【００１７】
１０：収納ポケット、１１：底層、１２：表層、１３：収納溝、１４：開口部、１５：開封シール、２０：光ディスク、２１：書籍、３０：光ディスク収納ポケット、３１：底層、３２：第一表層、３３：第二表層、３４：接着層、３５：剥離紙、３６：切り離し線、３７：入口、３８：細長い形の欠け口、３９：係止溝、３２１：密封部、３２２：分離部、３３１：Ｕ型収納室、３３２：開口端
【図１】
0003148382.tif 000003
【図２】
0003148382.tif 000004
【図３】
0003148382.tif 000005
【図４】
0003148382.tif 000006
【図５】
0003148382.tif 000007
【図６】
0003148382.tif 000008
【図７】
0003148382.tif 000009
【図８】
0003148382.tif 000010
【図９】
0003148382.tif 000011
【図１０】
0003148382.tif 000012
【図１１】
0003148382.tif 000013